(57)【要約】【課題】受信した一対の画像を組み合わせて３次元画像の表示を可能にする。【解決手段】画像、及び該画像が２次元画像として表示されるか３次元画像として表示されるかを示す制御情報を格納するメモリ部２３０と、画像を表示する表示部２５１と、ユーザーの右眼に映る第１の画像の焦点と、ユーザーの左眼に映る第２の画像の焦点との間に差を発生させるバリアーパネル２５３と、上記制御情報により、バリアーパネル２５３を選択的に活性化又は非活性化する制御部２４０と、を含んで構成したものである。【選択図】図５
2007336520.tif 000002
【特許請求の範囲】
【請求項１】
画像、及び該画像が２次元画像として表示されるか３次元画像として表示されるかを示す制御情報を格納するメモリ部と、
前記画像を表示する表示部と、
ユーザーの右眼に映る第１の画像の焦点と、ユーザーの左眼に映る第２の画像の焦点との間に差を発生させるバリアーパネルと、
前記制御情報により、前記バリアーパネルを選択的に活性化又は非活性化する制御部と、
を含んで構成したことを特徴とする移動通信端末。
【請求項２】
前記バリアーパネルは、活性化されると、前記表示部に対する視野を分離することを特徴とする請求項１記載の移動通信端末。
【請求項３】
前記制御情報により指示される画像が３次元画像として表示されるものである場合、前記制御部は、画素毎に一対の画像を作成することを特徴とする請求項１記載の移動通信端末。
【請求項４】
前記制御部は、前記バリアーパネルの電圧を徐々に駆動することにより、前記バリアーパネルを介して透過される光の量を調整することを特徴とする請求項１記載の移動通信端末。
【請求項５】
前記制御情報により指示される第１の画像及び第２の画像が３次元画像として表示される一対の画像に相当する場合、前記制御部は、前記第１の画像及び前記第２の画像を組み合わせ、前記バリアーパネルを活性化して前記組み合わされた画像を３次元画像として表示するように前記表示部を制御することを特徴とする請求項１記載の移動通信端末。
【請求項６】
前記制御部は、前記バリアーパネルを非活性化し、前記第１の画像を２次元画像として表示するように前記表示部を制御し、前記第２の画像を受信した後、前記第１の画像及び第２の画像を組み合わせ、前記バリアーパネルを活性化して前記組み合わされた画像を３次元画像として表示するように前記表示部を制御することを特徴とする請求項５記載の移動通信端末。
【請求項７】
前記制御情報により指示される第１の画像及び第２の画像が３次元画像として表示される一対の画像に相当しない場合、前記制御部は、前記バリアーパネルを非活性化し、前記第１の画像及び前記第２の画像を順次表示することを特徴とする請求項１記載の移動通信端末。
【請求項８】
前記制御情報が受信される各画像のフィールドに含まれているとき、前記制御部は、前記制御情報による指示が画像を３次元画像として表示させるものである場合、３次元画像を表示するために前記バリアーパネルを選択的に活性化し、制御情報による指示が画像を２次元画像として表示させるものである場合、前記バリアーパネルを非活性化することを特徴とする請求項１記載の移動通信端末。
【請求項９】
前記制御部は、前記第１の画像が受信されると、前記バリアーパネルを非活性化して前記第１の画像を表示するように前記表示部を制御し、前記第２の画像が受信されると、前記第１の画像及び前記第２の画像の少なくとも一つに含まれる制御情報を読み出すことにより、前記第１の画像及び前記第２の画像が３次元画像として表示されるものであるか否かを判定し、前記読み出された制御情報による指示が前記第１の画像及び前記第２の画像を３次元画像として表示させるものでない場合、前記バリアーパネルを非活性化状態に維持して前記第２の画像を表示し、前記読み出された制御情報による指示が前記第１の画像及び前記第２の画像を３次元画像として表示させるものである場合、前記バリアーパネルを活性化し、前記第１の画像及び前記第２の画像を３次元画像として組み合わせ、該組み合わされた画像を３次元画像として表示するように前記表示部を制御することを特徴とする請求項１記載の移動通信端末。
【請求項１０】
前記制御部は、前記第１の画像が受信されると、前記第２の画像が受信されるまで前記バリアーパネル及び前記表示部を待機状態として前記表示部上に画像が表示されないようにし、前記第１の画像及び前記第２の画像が３次元画像として表示されるか否かを判定するために、前記第１の画像及び前記第２の画像の少なくとも一つに含まれる制御情報を読み出し、前記読み出された制御情報による指示が前記第１の画像及び前記第２の画像を３次元画像として表示させるものである場合、前記バリアーパネルを活性化して前記第１の画像及び前記第２の画像を組み合わせ、前記組み合わされた画像を３次元画像として表示するように前記表示部を制御し、前記読み出された制御情報による指示が前記第１の画像及び前記第２の画像を３次元画像として表示させないものである場合、前記バリアーパネルを非活性化して、前記第１の画像及び前記第２の画像を２次元画像として表示するように前記表示部を制御することを特徴とする請求項１記載の移動通信端末。
【請求項１１】
移動通信端末に画像を表示する方法であって、
画像、及び前記画像が２次元画像として表示されるか３次元画像として表示されるかを示す制御情報をメモリ部に格納するステップと、
前記画像を表示部に表示するステップと、
バリアーパネルを介して、ユーザーの右眼に映る第１の画像の焦点と、ユーザーの左眼に映る第２の画像の焦点との間に差を発生させるステップと、
制御部を介して前記制御情報により前記バリアーパネルを活性化又は非活性化するように選択的に制御するステップと、
を含むことを特徴とする画像表示方法。
【請求項１２】
前記バリアーパネルは、活性化されると、前記表示部に対する視野を分離することを特徴とする請求項１１記載の画像表示方法。
【請求項１３】
前記制御情報により指示される画像が３次元画像として表示されるものである場合、画素毎に一対の画像を作成することを特徴とする請求項１１記載の画像表示方法。
【請求項１４】
前記バリアーパネルの電圧を徐々に駆動することにより、前記バリアーパネルを介して透過される光の量を調整することを特徴とする請求項１１記載の画像表示方法。
【請求項１５】
前記制御情報により指示された前記第１の画像及び前記第２の画像が３次元画像として表示される一対の画像に相当する場合、前記選択的に制御するステップは、
前記第１の画像及び前記第２の画像を組み合わせるステップと、
前記バリアーパネルを活性化するステップと、
前記組み合わされた画像を３次元画像として表示するステップと、
を含むことを特徴とする請求項１１記載の画像表示方法。
【請求項１６】
前記選択的に制御するステップは、前記バリアーパネルを非活性化し、前記第１の画像を２次元画像として表示し、前記第２の画像を受信した後、前記第１の画像及び第２の画像を組み合わせ、前記バリアーパネルを活性化して前記組み合わされた画像を３次元画像として表示することを特徴とする請求項１５記載の画像表示方法。
【請求項１７】
前記制御情報により指示された前記第１の画像及び前記第２の画像が３次元画像として表示される一対の画像に相当しない場合、前記選択的に制御するステップは、前記バリアーパネルを非活性化し、前記第１の画像及び前記第２の画像を順次表示することを特徴とする請求項１１記載の画像表示方法。
【請求項１８】
前記制御情報が受信される各画像のフィールドに含まれるとき、前記選択的に制御するステップは、制御情報による指示が画像を３次元画像として表示させるものである場合、３次元画像を表示するために前記バリアーパネルを選択的に活性化し、制御情報による指示が画像を２次元画像として表示させるものである場合、前記バリアーパネルを非活性化することを特徴とする請求項１１記載の画像表示方法。
【請求項１９】
前記制御部は、前記第１の画像が受信されると、前記バリアーパネルを非活性化して前記第１の画像を表示するように前記表示部を制御し、前記第２の画像が受信されると、前記第１の画像及び前記第２の画像の少なくとも一つに含まれる制御情報を読み出すことにより、前記第１の画像及び前記第２の画像が３次元画像として表示されるか否かを判定し、前記読み出された制御情報による指示が前記第１の画像及び前記第２の画像を３次元画像として表示させないものである場合、前記バリアーパネルを非活性化状態に維持して前記第２の画像を表示し、前記読み出された制御情報による指示が前記第１の画像及び前記第２の画像を３次元画像として表示させるものである場合、前記バリアーパネルを活性化し、前記第１の画像及び前記第２の画像を３次元画像として組み合わせ、該組み合わされた画像を３次元画像として表示するように前記表示部を制御することを特徴とする請求項１１記載の画像表示方法。
【請求項２０】
前記選択的に制御するステップは、前記第１の画像が受信されると、前記第２の画像が受信されるまで前記バリアーパネル及び前記表示部を待機状態として前記表示部上に画像が表示されないようにし、前記第１の画像及び前記第２の画像の少なくとも一つに含まれる制御情報を読み出して前記第１の画像及び前記第２の画像が３次元画像として表示されるか否かを判定し、前記読み出された制御情報による指示が前記第１の画像及び前記第２の画像を３次元画像として表示させるものである場合、前記バリアーパネルを活性化して、前記第１の画像及び前記第２の画像を組み合わせ、該組み合わされた画像を３次元画像として表示するように前記表示部を制御し、前記読み出された制御情報による指示が前記第１の画像及び前記第２の画像を３次元画像として表示させないものである場合、前記バリアーパネルを非活性化して、前記第１の画像及び前記第２の画像を２次元画像として表示するように前記表示部を制御することを特徴とする請求項１１記載の画像表示方法。
【発明の詳細な説明】
【技術分野】
【０００１】
本出願は２００６年５月１１日に出願された大韓民国公開特許公報第１０-２００６-００４２４８８号の優先権を主張して、その全体が参照文献として本出願に統合される。
【０００２】
本発明は、移動通信端末及びこのような移動通信端末を使用して画像を表示する方法に関する。
【背景技術】
【０００３】
移動通信端末は、電話として機能すると共に、マルチメディアファイル、ｅ−メール、テキストファイル等を送受信することもできる。また、移動通信端末は、インスタントメッセージサービスを提供し、放送オブジェクトを受信して出力する。しかしながら、このような端末により送信されるデータ量は、通信システムの帯域幅により制限される。
【０００４】
さらに、放送システム又は通信システムにおいて、送信端末は、所定間隔を置いて２次元画像を順次送信し、受信端末は、送信された画像を同じ間隔で受信して表示する。また、送信端末の帯域幅は、当該通信システムの帯域幅により制限されるため、送信端末は一般的に３次元画像を送信し表示させることができない。すなわち、３次元画像のサイズは、２次元画像より大きいため、３次元画像を送信し表示させることが難しい。
【発明の開示】
【発明が解決しようとする課題】
【０００５】
従って、本発明の目的は、上記問題点及び他の問題点に対処することにある。
【０００６】
本発明の他の目的は、画像を現実的に表示するための移動通信端末及び画像表示方法を提供することにある。
【０００７】
本発明のさらに他の目的は、３次元画像を表示するための移動通信端末及び画像表示方法を提供することにある。
【課題を解決するための手段】
【０００８】
上記目的を達成するために、本発明の移動通信端末は、画像、及び該画像が２次元画像として表示されるか３次元画像として表示されるかを示す制御情報を格納するメモリ部と、前記画像を表示する表示部と、ユーザーの右眼に映る第１の画像の焦点と、ユーザーの左眼に映る第２の画像の焦点との間に差を発生させるバリアーパネルと、前記制御情報により、前記バリアーパネルを選択的に活性化又は非活性化する制御部と、を含んで構成したものである。
【０００９】
また、本発明の移動通信端末に画像を表示する方法は、画像、及び前記画像が２次元画像として表示されるか３次元画像として表示されるかを示す制御情報をメモリ部に格納するステップと、前記画像を表示部に表示するステップと、バリアーパネルを介して、ユーザーの右眼に映る第１の画像の焦点と、ユーザーの左眼に映る第２の画像の焦点との間に差を発生させるステップと、制御部を介して前記制御情報により前記バリアーパネルを活性化又は非活性化するように選択的に制御するステップと、を含むものである。
【００１０】
さらに、本発明の適用可能な範囲は、後述する詳細な説明から明らかになろう。しかしながら、本発明の好適な実施形態を示す詳細な説明及び特定の実施形態は、例示だけのためであり、当業者にとっては詳細な説明から本発明の思想及び範囲内での多様な変更及び変形が明らかになろう。
【発明の効果】
【００１１】
本発明によれば、バリアーパネルを活性化することにより、３次元画像を適応的に表示することができる。また、現実的且つ実際的な画像を表示することができる。
【発明を実施するための最良の形態】
【００１２】
以下、添付図面に基づき、本発明の好適な実施形態を詳細に説明する。図において、同一又は類似な構成要素については、同じ符号を付けて説明する。
【００１３】
まず、本発明の実施形態を説明するために、３次元画像を表示するための原理及びデータ構造を説明する。具体的には、移動通信端末は、複数の２次元画像を受信し、受信された画像を組み合わせ、この組み合わされた画像を３次元画像として表示する。また、移動通信端末は、受信した画像が少なくとも一つの３次元画像として表示できるということを示す制御情報を含む信号を受信する。
【００１４】
より詳しくは、制御情報は、２次元画像等の表示次元及び表示順序を含む。移動通信端末は、このような制御情報を用いて受信された２次元画像を３次元画像として表示する。つまり、３次元画像は、２つの２次元画像を組み合わせて生成される画像である。この組み合わされた画像は、人の両眼視差（binocular disparity）と呼ばれる現象に基づいて３次元画像のように見える。
【００１５】
すなわち、人間の左眼に映る一つの画像（以下、「左眼画像」といい、添字Ｌとして表示する）が生成され、人間の右眼に映る他の画像（以下、「右眼画像」といい、添字Ｒとして表示する）が生成される。そして、画像が３次元画像として見えるように表示することができる。また、以下の説明において、画像グループは、複数の関連画像が集まったグループを意味し、該当グループの画像は、スライド画像や動画として表示することができる。
【００１６】
図１は、本発明の実施形態による制御情報を含むデータ構造の一例を示す概略図である。同図に示すように、データ構造は、画像オブジェクトのデータ構造に関する情報を含む第１のフィールドと、制御情報を含む第２のフィールドと、画像オブジェクトの元データを含む第３のフィールドとを含む。
【００１７】
また、一般に、第１のフィールドはヘッダフィールドと呼ばれ、第３のフィールドは画像オブジェクトデータのデータフィールド又はボディーフィールドと呼ばれる。しかしながら、これらのフィールドに他の名称が付与されてもよい。また、第２のフィールドは、付加情報フィールドと称する。本発明の一例によれば、付加情報フィールドは、オブジェクトの表示順序に関する制御情報を含むが、このような制御情報が他のフィールドに含まれてもよい。
【００１８】
図２は、付加情報フィールドを詳細に示す図である。前述したように、表示制御情報は、画像に関する次元情報及び表示順序情報の少なくとも一つをデータに含む。同図に示すように、付加情報フィールドは、次元情報及び表示順序情報の少なくとも一つを含む画像表示フィールド（ａ）を含む。
【００１９】
図２に示す例において、“０”の値は２次元画像（即ち、画像がそのまま表示される）を示し、“１”の値はデータが３次元画像として表示可能であることを示す。また、表示フィールド（ａ）は、２次元画像に対応する“０”の値に設定できるため、本発明のシステムは一般の表示方法と後方互換が可能である。
【００２０】
また、画像表示フィールドの値が“２”の場合は、データの画像が２次元画像グループにあることを示し、画像表示フィールドの値が“３”の場合は、画像が３次元画像グループにあることを示す。また、２次元画像グループの画像は、順次、２次元スライド画像として表示でき、３次元画像グループの画像は、３次元動画として表示できる。
【００２１】
また、図２に示すように、制御情報は、画像グループ内の画像の数を示すフィールド（ｂ）と、画像グループ内の画像の通し番号を示すフィールド（ｃ）と、画像の表示間隔を示すフィールド（ｄ）と、画像が複数の画像グループである場合、画像グループの通し番号を示すフィールド（ｅ）とを含む。
【００２２】
また、一つの画像グループ内の画像の数を示す情報は、一つの画像グループに含まれる画像の総数を意味する。即ち、図２の例において、一つの画像グループ内の画像の数を示す情報は、画像表示フィールドが“２”又は“３”である場合に有効であり、一つの画像グループにある画像の通し番号を示す情報は、“０”〜“９９”である。また、表示された画像が３次元画像である場合、一つの画像グループ内の画像の通し番号を示す情報は、左眼画像に対しては偶数であり、右眼画像に対しては奇数である。
【００２３】
また、各画像グループにより表示される画像の表示間隔を示す情報は、一つの画像グループにより表示される画像と、他の画像グループにより表示される他の画像との間隔を意味する。図２の例は、各画像グループにより表示される画像の表示間隔を示す情報が０.１秒であることを示し、このような情報が“０”である場合には、これはグループに画像が含まれないことを意味する。
【００２４】
また、画像グループの通し番号を示す情報は、各グループに分類される番号を意味する。図２の例において、画像グループの通し番号を示す情報は、“０”〜“９９９９９９”の値を持つ。また、図２に示すデータ構造は、任意の放送システムや通信システムで送信又は受信することを可能にしたものである。
【００２５】
即ち、放送システムや通信システムは、互いに異なる多様なプロトコルによりオブジェクトを送信又は受信する。よって、図２に示すフィールドは、当該放送システムや当該通信システムのプロトコルにより、予約フィールド又はユーザー個人フィールドに設定することができる。本発明の一例では、マルチメディアオブジェクト伝送（Multimedia Object Transfer：ＭＯＴ）プロトコルが使用される。以下、ＭＯＴプロトコルについて説明する。
【００２６】
図３及び図４は、放送システムの一例に用いられるＭＯＴプロトコルの一部を示す図である。より詳しくは、図３は、ＭＯＴプロトコルのデータフィールドの一部を示すが、これはＥＮ３０１ ２３４バージョン２.１.１に従うマルチメディアデジタルオーディオ放送（Digital Audio Broadcasting：ＤＡＢ）システムに用いられる。本例では、図２に示すデータ構造がＭＯＴプロトコルにおける予約フィールド（図３の“reserved for MOT protocol extensions”）に定義される。このような予約フィールドは、図４に詳細に示す。
【００２７】
また、ＭＯＴプロトコルの指定領域が使用中でない場合には、このような指定領域に制御情報を設定することができる。また、制御情報は、ＭＯＴプロトコルに従う可変長の予約フィールド内に設定することもできる。また、可変長のデータフィールドは、拡張可能であるため、固定長のデータフィールドよりも好ましい。
【００２８】
より詳しくは、図４に示すように、図２に示す制御情報は、ＭＯＴプロトコルに従うコンテンツ名（Content Name）フィールド内に設定されることになる。また、図３では、コンテンツ名フィールドのようなフィールドを設定するための特定の指標として、図３に示すようにアラビア数字が使用される。従って、同図に示すように、データフィールド及びデータフィールドの値により、コンテンツ名フィールドに挿入された制御情報が送信されると、このような制御情報により画像が表示される。
【００２９】
このように、本発明の一実施形態による移動通信端末は、例えば、ＭＯＴプロトコルのコンテンツ名フィールドなどの可変長の制御情報を受信する。これにより、本発明の一実施形態による移動通信端末は、このような制御情報により画像を表示する。
【００３０】
図５は、本発明の一実施形態による移動通信端末を示す図である。同図に示すように、移動通信端末は、信号受信部２１０、信号デコーダ２２０、メモリ部２３０、制御部２４０及び出力部２５０を含む。また、出力部は、表示部２５１及びバリアーパネル２５３を含む。また、図５には、スピーカ２６０及びマイクロフォン２７０を示す。
【００３１】
信号受信部２１０は、放送プロトコル又は通信プロトコルによって信号を受信する。信号受信部１１０により受信された信号は、画像及びこのような画像に対する制御情報を含む。前述したように、画像は、少なくとも一つの３次元画像として表示できる２次元画像である。
【００３２】
好ましくは、信号受信部２１０は、信号の送信及び受信の両方ができる送受信機を含む。信号デコーダ２２０は、受信された信号に含まれる画像及び制御情報をデコードし、メモリ部２３０は、デコードされた画像及びデコードされた制御情報を格納する。また、メモリ部２３０は、画像を格納するための画像バッファと、表示制御情報を格納するための別途の情報格納領域とを含んでもよい。また、それぞれの画像フレームが制御情報を含んでもよく、又は一つの画像フレームが一つ以上の画像に対する制御情報を含んでもよい。
【００３３】
制御部２４０は、図５に示す各部及び移動通信端末の全体動作を一般的に制御する。また、本発明の一実施形態によれば、制御部２４０が制御情報に基づいてデコードされた画像が３次元画像として表示されるものであると判定すると、制御部２４０はバリアーパネル２５３を活性化する。前述したように、受信された画像は、人間の両眼視差現象を用いて３次元画像として表示することができる。
【００３４】
すなわち、視聴者の右眼で見た第１の２次元画像（Ｒ）と、視聴者の左眼で見た第２の２次元画像（Ｌ）との間に差があると、人間の頭脳は第１の画像及び第２の画像を一つの３次元画像として見ることがある。このように、制御部２４０は、バリアーパネル２５３を活性化し、第１及び第２の画像を組み合わせて表示部２５１上に表示することで、視聴者が３次元画像を見るようにする。
【００３５】
また、制御部２４０は、補間方法（interpolation method）のような合成方法を用いて２つの画像を合成する。すなわち、こうした補間方法は、第１の画像及び第２の画像を画素別に補間する。よって、制御部２４０は、３次元画像を表示するために２つの画像を合成するとき、バリアーパネル２５３を活性化する。
【００３６】
以下では、ユーザーの右眼用第１の画像（Ｒ）及びユーザーの左眼用第２の画像（Ｌ）は、３次元画像の一対の画像であると称する。また、制御部２４０は、図５の信号デコーダ２２０と共に一つのブロック内に含まれるが、制御部２４０及び信号デコーダ２２０は別々のボックスに指定してもよい。
【００３７】
図６は、図５の表示部２５１及びバリアーパネル２５３を示す断面図である。図６を参照して３次元画像を表示する原理について説明する。より詳しくは、本発明の実施形態によりバリアーパネル２５３を選択的に適切に活性化することで、人間の両眼視差に基づいて３次元画像が表示される。
【００３８】
また、人間の両眼視差は、右眼に映る視野の焦点と、左眼に映る視野の他の焦点との間の差を意味する。すなわち、ユーザーの右眼で見た第１の画像（Ｒ）と、ユーザーの左目で見た第２の画像（Ｌ）との間に差があると、第１の画像及び第２の画像は、人間の脳で一つの３次元画像として合成される。
【００３９】
従って、３次元画像を表示するために、本発明は、２つの画像即ち右眼用画像及び他の左眼用画像を用意し、これらの２つの画像が画素毎に組み合わされ（例えば、補間方法やその他の合成方法などによる）。また、バリアーパネル２５３は、表示部２５１上の個別の視野を分割して３次元画像が見えるようにする。
【００４０】
また、図６を参照すれば、参照符号“ｂ”はスイッチングパネルにおける隣接バリアー間の距離を示し、“ｇ”はバリアーパネル２５３及び表示部２５１間の距離を示し、“ｚ”は人間の眼の焦点と表示部２５１との間の距離を示す。また、図６に示すように、２つの画像が画素毎に合成されるとき、バリアーパネル２５３は、右眼の一視野が右眼画像における画素に対応し、左眼の他の視野が左眼画像における画素に対応するように活性化できる。
【００４１】
このように、制御部２４０は、制御情報を読み出して３次元画像が表示されるか否かを判定し、制御情報によってバリアーパネル２５３を活性化するように制御する。即ち、バリアーパネル２５３が活性化されると、バリアーパネル２５３のバリアーが表示部２５１上の視野を遮断するため、表示部２５１上の視野がバリアーにより分散されることになる。
【００４２】
また、制御部２４０は、バリアーパネル２５３が活性化して表示部２５１上の視野を分散するように、例えば、駆動電圧を使用してバリアーパネル２５３を制御する。また、バリアーパネル２５３の透過度が高まると、バリアーパネル２５３の透過性が低下し、透過光量が減少し、画像が合成されて次第に３次元画像のように見えるようになる。一方、透過光量が増加するにつれて、３次元画像が次第に組み合わされた画像になる。
【００４３】
また、制御部２４０は、２次元画像を表示するためにバリアーパネル２５３を非活性化させることができる。すなわち、制御部２４０は、入射視野が分散されないようにバリアーパネル２５３を選択的にターンオフする。このとき、制御部２４０は、画像を組み合わせることなく、受信されたものと同じ画像を表示するように表示部２４１を制御する。
【００４４】
次に、図７は、図５に示す表示部２５１及びバリアーパネル２５３を示す他の断面図である。図７において、表示パネルの陰影処理された領域は、右眼の視野が達する画素を示し、ドット処理された領域は、左眼の視野が達する画素を示す。
【００４５】
このように、バリアーパネル２５３が活性化されると、視聴者の眼は、陰影処理された領域の画素から一つの画像を受け取り、ドット処理された領域の画素から他の一つの画像を受け取る。また、視聴者の脳は、これらの二つの画像を３次元画像として解釈する。
【００４６】
図８及び図９は、本発明の実施形態により画像を表示する互いに異なる例を示すタイミング線図である。図８の上段に示すように、３次元画像用の左眼画像（Ｌ表示）及び右眼画像（Ｒ表示）が用意されて順次送信される。
【００４７】
より詳しくは、図８は、画像ＡＲ及び画像ＡＬを含む画像Ａと、画像ＢＲ及び画像ＢＬを含む画像Ｂと、画像ＣＲ及び画像ＣＬを含む画像Ｃと、画像ＤＲ及び画像ＤＬを含む画像Ｄとを示す。用意された画像は順次送信される。また、図８は、右眼画像の送信前に左眼画像が送信されることを示す。しかしながら、このような順序は変更されても良い。
【００４８】
また、図８の下段に示すように、移動通信端末は、ＡＲ及びＡＬ画像の両方が受信されると、３次元画像Ａを表示し、ＢＲ及びＢＬの両方が受信されると、３次元画像Ｂを表示する。このように、移動通信端末のユーザーは、画像を見る時に優れた現実性を提供できる３次元画像を見ることになる。
【００４９】
図９は、３次元画像だけでなく２次元画像も送信することを示す図である。また、画像ＢＬは送信中に失われたものと仮定する。また、画像はランダムに表示される。図８と同様に、画像Ａは右眼画像（ＡＲ）及び左眼画像（ＡＬ）を含み、画像ＢはＢＲ画像及びＢＬ画像を含み、画像ＥはＥＬ画像及びＥＲ画像を含む。しかしながら、Ｃ画像及びＤ画像は、３次元画像として表示されず、２次元画像として表示されるものである。これらの画像が継続して送信されるものと仮定する。
【００５０】
図９の下段に示すように、画像Ａを３次元画像として表示されるために、画像ＡＬが受信された後、画像ＡＲが受信されるまで画像Ａは表示されない。しかしながら、画像ＡＲが受信されると直ぐに受信された画像ＡＬが表示され、ＡＬ画像及びＡＲ画像の両方を使用して３次元画像が表示される。
【００５１】
また、ＢＬが受信されなかったため、２次元画像ＢＲのみが表示される。また、２次元画像ＣとＤとは、この順に表示される。さらに、画像ＣとＤとは、受信された順番に表示されてもよい。しかしながら、画像ＣとＤとは、画像Ｄを受信した直後に、スライドショー（slide show）として繰返して表示することもできる。
【００５２】
また、図９の下段に示すように、２次元画像Ｅは、画像ＥＲが受信された後に表示される。また、ＥＬ画像が受信されると、３次元画像Ｅが表示される。このように、３次元画像は、制御情報を使用して適応的に表示することができる。
【００５３】
図１０及び図１１は、本発明の実施形態により画像を表示する方法を示すフローチャートである。また、本実施形態において、第１の画像及び第２の画像は、３次元画像として作用する一対の画像である。
【００５４】
また、画像の制御情報に基づき、受信された画像が３次元画像の右眼画像か左眼画像かを判定する。図１０及び図１１においては、右眼画像が左眼画像より先に受信されるものと仮定する。
【００５５】
より詳しくは、図１０は、本発明の実施形態により画像を表示する方法を示すフローチャートである。同図に示すように、第１の画像が受信され（Ｓ１０）、受信された第１の画像が画面上に２次元画像として表示される（Ｓ２０）。次に、第１の画像でなく第２の画像が受信される（Ｓ３０）。
【００５６】
また、前述したように、制御情報に基づき、第１の画像及び第２の画像が３次元画像用の一対の画像に相当するか否かを判定する（Ｓ４０）。第１の画像及び第２の画像が３次元画像用の一対の画像である場合（Ｓ４０において“ＹＥＳ”判定）、バリアーパネルを活性化することにより３次元画像が表示される（Ｓ５０）。一方、第１の画像及び第２の画像が３次元画像用の一対の画像でない場合（Ｓ４０において“ＮＯ”判定）、第２の画像は２次元画像として表示される（Ｓ６０）。
【００５７】
次に、図１１は、本発明の他の実施形態により画像を表示する方法を示すフローチャートである。同図に示すように、第１の画像が受信され（Ｓ１１０）、受信された画像は第２の画像が受信されるまで表示されないため、画像が表示されない（Ｓ１２０）。第１の画像でなく第２の画像が受信されると（Ｓ１３０）、制御部は、制御情報を読み出すことにより第１の画像及び第２の画像が一対の画像であるか否かを判定する（Ｓ１４０）。
【００５８】
第１の画像及び第２の画像が３次元画像用の一対の画像である場合（Ｓ１４０において“ＹＥＳ”判定）、バリアーパネルを活性化することにより３次元画像が表示される（Ｓ１５０）。第１の画像及び第２の画像が３次元画像用の一対の画像でない場合（Ｓ１４０において“ＮＯ”判定）、第２の画像が受信された直後に第１の画像が表示される（Ｓ１６０）。
【００５９】
当業者には、本発明に対する各種変更及び修正が本発明の範囲及び精神から逸脱することなく遂行できることが自明である。よって、本発明は、添付された特許請求の範囲及びその均等物の範囲内で提供される修正及び変形をカバーする。
【図面の簡単な説明】
【００６０】
貼付図面は、本発明の追加的な理解のために含まれるもので、本発明の原理を説明するために提供された説明と共に本出願の一部及び本発明の実施形態を構成して結合される。
【図１】本発明の実施形態による制御情報を含むデータ構造を示す概略図である。
【図２】本発明の実施形態による付加情報フィールドを詳細に示す図である。
【図３】放送システムに使用されるＭＯＴプロトコルの一部を示す概略図である。
【図４】放送システムに使用される ＭＯＴプロトコルの一部を示す概略図である。
【図５】本発明の実施形態による移動通信端末を示すブロック図である。
【図６】図５の表示部及びバリアーパネルを示す断面図である。
【図７】図５の表示部及びバリアーパネルを示す他の断面図である。
【図８】本発明の実施形態により画像を表示する例を示すタイミング図である。
【図９】本発明の実施形態により画像を表示する他の例を示すタイミング図である。
【図１０】本発明の実施形態により画像を表示する方法を示すフローチャートである。
【図１１】本発明の他の実施形態により画像を表示する方法を示す他のフローチャートである。
【符号の説明】
【００６１】
２１０：信号受信部
２２０：信号デコーダ
２３０：メモリ部
２４０：制御部
２５１：表示部
２５３：バリアーパネル
２６０：スピーカ
２７０：マイクロフォン
【図１】
2007336520.tif 000003
【図２】
2007336520.tif 000004
【図３】
2007336520.tif 000005
【図４】
2007336520.tif 000006
【図５】
2007336520.tif 000007
【図６】
2007336520.tif 000008
【図７】
2007336520.tif 000009
【図８】
2007336520.tif 000010
【図９】
2007336520.tif 000011
【図１０】
2007336520.tif 000012
【図１１】
2007336520.tif 000013
【外国語明細書】
2007336520000001.pdf
2007336520000002.pdf
2007336520000003.pdf
2007336520000004.pdf